【事件の表示】
　特願２００１−３２４０３６「診断支援装置及び診断支援プログラム」拒絶査定不服審判事件〔平成１５年５月７日出願公開、特開２００３−１２６０４５〕について、次のとおり審決する。
【結　論】
　本件審判の請求は、成り立たない。
【理　由】
第１　手続の経緯
　本件は、平成１３年１０月２２日に出願された特許出願（２００１年特許願第３２４０３６号。以下「本件出願」という。）につき、拒絶査定が平成１９年２月２６日にされた（発送日：同年３月６日）ところ、拒絶査定不服審判が平成１９年４月５日に請求されるとともに、同年５月７日付けで手続補正書が提出されたものである。
　　　　　　　　　　
第２　平成１９年５月７日付けの手続補正について
　（１）平成１９年５月７日付けの手続補正書による手続補正（以下「本件補正」という。）の内容は、本件補正前の平成１８年９月２９日付け手続補正書の特許請求の範囲の請求項１〜１４のうちの請求項１を削除し、請求項２〜１４の番号を繰り上げて請求項１〜１３としたものである。
　　　　　　
　（２）　本件補正の目的について
　本件補正前の請求項１は削除されているので、本件補正は、平成１８年法律第５５号改正附則第３条第１項によりなお従前の例によるとされる同法による改正前の特許法第１７条の２第４項第１号に掲げる請求項の削除を目的とする補正に該当する。
　　
第３　本願発明について
　（ア）本件補正は、上記のとおり特許請求の範囲の請求項１の削除に該当するものであり、以下に、本件補正後の特許請求の範囲の請求項１〜１３に記載された事項により特定される発明が特許を受けることができるものであるかについて検討する。
　　
　（イ）本件出願に係る発明
　　本件出願の請求項１〜１３に係る発明は、平成１９年５月７日付け手続補正書で補正された特許請求の範囲の請求項１〜１３に記載された事項により特定されるとおりのものであって、その請求項１に係る発明（以下、「本願発明」という。）は次のとおりのものである。
　　　　　　　　　　　　　　
「【請求項１】　診断支援を行うための複数の診断支援コンテンツを記憶する診断支援コンテンツ記憶手段と、
　前記診断支援コンテンツ記憶手段に記憶する診断支援コンテンツを少なくとも更新または追加する診断支援コンテンツ変更手段と、
　前記複数の診断支援コンテンツから所望の診断支援コンテンツを選択する選択手段と、
　医用システムから患者、検査及び画像の少なくとも１つに関する診断用情報を取得する情報取得手段と、
　前記選択手段により選択された診断支援コンテンツに応じて、前記診断用情報から特徴量を算出する特徴量算出手段を備え、前記特徴量算出手段により算出された特徴量に基づいて診断支援情報を生成する診断支援情報生成手段と、
　前記診断支援情報生成手段により生成された診断支援情報を表示する診断支援情報表示手段と
　を備えたことを特徴とする診断支援装置。」
　　
第４　引用刊行物記載の発明
　原査定の拒絶の理由に引用された特開平４−３３３９７２号公報（以下、「引用刊行物Ａ」という。）には、次の事項が図面とともに記載されている。（下線は、当審で付与したものである。）
　　　　
（Ａ−１）「【０００２】
【産業上の利用分野】本発明は、医用画像等の医用検査デ−タに対する医師の所見やコンピュータによる分析等の複数の診断情報を比較対照して、医師の医用検査デ−タの診断効率向上に利用できる医用診断支援システムに関する。」　　　　　
（Ａ−２）「【００２３】本発明の一実施例においては、ＰＡＣＳを利用してＣＡＤを行うことができる。診断対象としては胸部単純Ｘ線像を取り上げる。
【００２４】まず、ＰＡＣＳの基本的なシステム構成の例を図１に示す。このシステムは、
１）システムマネージャ（ＳＭ）１、
２）画像収集装置（ＩＡ）２Ａ，２Ｂ（集合的意味では符号２で引用する）、
３）データベース（ＤＢ）３、
４）ワークステーション（ＷＳ）４Ａ，４Ｂ（集合的意味では符号４で引用する）、
５）ネットワーク（ＮＷ）５
の各装置（サブシステム）から構成される。
・・・
【００２８】画像収集装置（ＩＡ）２Ａ，２Ｂは、Ｘ線診断装置、Ｘ線ＣＴ装置、ＭＲＩ装置、フィルムデジタイザなど、ＰＡＣＳにとっての医用画像収集装置で、１つのネットワーク（ＮＷ）５に複数（同種の装置でも異種の装置でもよい）接続することができる。
【００２９】データベース（ＤＢ）３は、画像収集装置（ＩＡ）２Ａ，２Ｂで作成されたデジタル画像の記憶装置で、低速媒体（光ディスクなど）や高速媒体（磁気ディスクなど）を備える。」
（Ａ−３）「【００７３】ついで画像収集装置（ＩＡ）としてのフィルムデジタイザ（ＦＤＧ）２（以下参照符号２を転用する）について、まず主な機能を説明する。
・・・
【００７９】
●制御装置（ＦＤＧ−ＣＴＲＬ）２ａ
中央処理装置（ＣＰＵ）やシステムメモリ（半導体メモリである）などを含み、フィルムデジタイザ２全体の動作を制御する。」
（Ａ−４）「【０１２８】つぎにワークステーション４の構成要素とその機能を説明する。図８は、
ワークステーション４の構成図である
【０１２９】●制御装置（ＷＳ−ＣＴＲＬ）４ａ
中央処理装置（ＣＰＵ）やシステムメモリ（半導体メモリである）などを含み、ワークステーション全体の動作を制御する。
【０１３０】●
システムディスク
４ｂ
システムディスクは磁気ディスクであり、
(a) ワークステーションを動作させるためのプログラム
(b) 
異常検出手段選択情報
(c) 異常の経時変化と表示色の関係情報
(d) 胸部単純Ｘ線像の画像の撮影方向と相対的な表示位置との関係情報
(e) 読影医情報表
などのプログラムやデータを記憶している。これらのプログラムやデータは、ワークステーション４の電源投入時に読み出され、制御装置４ａ内のシステムメモリに書き込まれる。
【０１３１】(b) の
異常検出手段選択情報とは、画像の種類（検査部位、モダリティ、検査方法、読影方向）とその画像において検出できる異常の種類との対応表
【０１３２】
【表１１】
　
【０１３３】
　この表に示した検出できる異常の種類を示すデータ（「肺間質性疾患」、「肺小結節」、「微小石灰化」）は、ＣＡＤ処理装置４ｅに対して異常検出手段を指示するデータとして使用される。
異常検出手段選択情報は書き換え可能である
・・・
【０１４９】なお、上述の書き換え可能な各データを変更したい場合は、そのデ−タに掛かる表を文字表示装置（ＷＳ−ＣＤＩＳＰ）４ｄに表示させ、入力装置（ＷＳ−ＩＮＰＵＴ）４ｃから新しいデータを入力し、更新されたデータを更新前のデータにオーバーライト（重ね書き）することにより書き換えることができる。」　　　　
（Ａ−５）「【０１５２】●ＣＡＤ処理装置（ＷＳ−ＣＡＤＰ）４ｅ
指定された画像について、
指定された種類の異常が存在する位置とその異常度を求め
記憶する
装置である
【０１５３】
ＣＡＤ処理装置４ｅ
異常検出手段
(a) 胸部単純Ｘ線画像の正面像において、肺の間質性疾患の陰影を検出する手段
(b) 胸部単純Ｘ線画像の正面像において、肺の小結節の陰影を検出する手段
(c) 乳房Ｘ線画像において、乳房の微小石灰化の陰影を検出する手段
である。・・・
【０１５４】
ＣＡＤ処理装置４ｅは
(a) 検出する異常の種類を示すデータ
(b) 画像データ
の２種類のデータを入力されると、
指定された検出手段によって画像データを解析し、異常があれば、その画像上の位置と異常度を求め、それらを
記憶する
　　　　　　　
（Ａ−６）「【０２１７】２．画像の収集と保管
(1) デジタル画像の収集
・・・
【０２１９】2-1-2)　フィルムデジタイザ２の制御装置（ＦＤＧ−ＣＴＲＬ）２ａは、フィルム濃度読み取り装置（ＦＤＧ−ＦＲ）２ｃにフィルム濃度をデジタイズするよう指示する。
【０２２０】2-1-3)　フィルム濃度読み取り装置（ＦＤＧ−ＦＲ）２ｃはセットされた各フィルムの濃度を読み取り、・・・デジタル化する。デジタル化された画像は、画像データ記憶装置（ＦＤＧ−ＩＭ）２ｇに書き込む。
・・・
【０２２５】(2) 検査情報と画像付随情報の入力
・・・
【０２２９】2-2-4)　オペレータはまず、入力装置（ＦＤＧ−ＩＮＰＵＴ）２ｄから検査ＩＤ番号を入力する。制御装置（ＦＤＧ−ＣＴＲＬ）２ａは、入力された検査ＩＤ番号を検査情報・画像付随情報記憶装置（ＦＤＧ−ＥＩＩＭ）２ｆに書き込み、さらに表示装置（ＦＤＧ−ＤＩＳＰ）２ｅに表示する。」
（Ａ−７）「【０２４３】(3) データベースへのデータ転送
2-3-1)　制御装置（ＦＤＧ−ＣＴＲＬ）２ａは、入力終了コマンドが入力されると、検査情報・画像付随情報記憶装置（ＦＤＧ−ＥＩＩＭ）２ｆに書き込まれているその検査の検査情報（患者の情報と検査ＩＤ番号も含む）と各画像の画像付随情報、および画像データ記憶装置（ＦＤＧ−ＩＭ）２ｇに記憶されている画像データを読み出し、ネットワーク・インターフェース（ＦＤＧ−ＮＷＩＦ）２ｉに転送する。・・・
【０２４４】2-3-2)　ネットワーク・インターフェース（ＦＤＧ−ＮＷＩＦ）２ｉは、与えられたデータをデータベース３に転送する。
【０２４５】(4) 検査情報・画像付随情報・画像データの登録と保管
2-4-1)　データベース３のネットワーク・インターフェース（ＤＢ−ＮＷＩＦ）３ｈにフィルムデジタイザ２からのデータが到着すると、データベース３の制御装置（ＤＢ−ＣＴＲＬ）３ａは、転送されてきたデータを・・・ブロックメモリ（ＤＢ−ＢＬＫＭ）３ｇに書き込む。
【０２４６】2-4-2)　制御装置（ＤＢ−ＣＴＲＬ）３ａは、ブロックメモリ（ＤＢ−ＢＬＫＭ）３ｇに書き込まれている画像データと画像付随情報を、画像記憶用磁気ディスク装置（ＤＢ−ＩＨＤ）３ｆに書き込む。
・・・
【０２７７】3-4-4)　データベース３のネットワーク・インターフェース（ＤＢ−ＮＷＩＦ）３ｈに検査ＩＤ番号と画像要求コマンドが到着すると、・・・
【０２７８】3-4-5)　データベース３の制御装置（ＤＢ−ＣＴＲＬ）３ａは、送られてきた検査ＩＤ番号の画像データと画像付随情報データが画像記憶用磁気ディスク記憶装置（ＤＢ−ＩＨＤ）３ｆにあるか調べ、あればその検査ＩＤ番号の検査に含まれる全ての画像データと画像付随情報データを読み出し、ネットワーク・インターフェース（ＤＢ−ＮＷＩＦ）３ｈを経由して、ワークステーションＷＳ−１に送る。
・・・
【０２８０】3-4-6)　ワークステーションＷＳ−１のネットワーク・インターフェース（ＷＳ−ＮＷＩＦ）４ｊに
データベース（ＤＢ）３が
り出した画像データと画像付随情報データ
制御装置
４ａは
データを
画像等記憶装置（ＷＳ−ＩＭ）４ｆに書き込む
（Ａ−８）「【０２８２】４．ＣＡＤ処理と診断情報の作成
(1) ＣＡＤ処理
・・・
【０２８３】4-1-1)　ワークステーションＷＳ−１の制御装置（ＷＳ−ＣＴＲＬ）４ａは、読影対象検査（検査ＩＤ番号は１０３５４１）の２枚の画像のそれぞれについて、異常検出手段選択情報（表１１）を参照して、ＣＡＤ処理が適用可能であるかどうかを判断する。すなわち、検査情報データに含まれている検査部位名、モダリティ名、検査方法の組合せが異常検出手段選択情報の中にあるかどうか調べる。この検査については、表１８、表１９および表１１から明らかなように、検査ＩＤ番号１０３５４１の検査については、画像番号が１の画像だけが正面像であり、ＣＡＤ処理の適用が可能である。そして、検出できる異常の種類は、肺間質性疾患と肺小結節の２種類である。
【０２８４】4-1-2)　ワークステーションＷＳ−１の制御装置（ＷＳ−ＣＴＲＬ）４ａは、検査ＩＤ番号１０３５４１の検査の画像番号が１の画像を画像等記憶装置（ＷＳ−ＩＭ）４ｆから読み出して、“肺間質性疾患”検出指示を意味するデータとともにＣＡＤ処理装置（ＷＳ−ＣＡＤＰ）４ｅに入力する。また、正常解剖構造の位置の出力も行うよう指示する。
【０２８５】ＣＡＤ処理装置（ＷＳ−ＣＡＤＰ）４ｅは、入力された画像データに対して肺間質性疾患検出手段を作用させ、画像データの解析を行う。解析の結果えられた異常位置と異常度のデータ、および正常解剖構造または画像診断上の領域の位置データは、ＣＡＤ処理装置（ＷＳ−ＣＡＤＰ）４ｅの内部のメモリに記憶される。
【０２８６】4-1-3)　ワークステーションＷＳ−１の制御装置（ＷＳ−ＣＴＲＬ）４ａは、検査ＩＤ番号１０３５４１の検査の画像番号が１の画像を画像等記憶装置（ＷＳ−ＩＭ）４ｆから読み出し、“肺小結節”検出指示を意味するデータとともにＣＡＤ処理装置（ＷＳ−ＣＡＤＰ）４ｅに入力する。【０２８７】
ＣＡＤ処理装置
４ｅ
入力された画像データに対して肺小結節検出手段を作用させ
画像データの解析を行う
解析の結果えられた異常位置と異常度のデータは、ＣＡＤ処理装置（
４ｅの内部のメモリに記憶される
【０２８８】4-1-4)　ワークステーションＷＳ−１の制御装置（ＷＳ−ＣＴＲＬ）４ａは、検査ＩＤ番号が１００９０２，１０２２８７，６０５６３である３つの検査の各画像について、上述したと同様に、適用できる異常検出手段があるかどうかを調べ、もしあったならば適用できるすべての異常検出手段について、ＣＡＤ処理装置４ｅを使用して異常の検出を行う。また、ＣＡＤ処理を行う各画像について１度だけ正常解剖構造または画像診断上の領域の位置も求める。
【０２８９】検査ＩＤ番号が１００９０２である胸部単純Ｘ線検査の２枚の画像が、正面像（画像番号は１）と左側画像（画像番号は２）であるとする。正面像について、
肺間質性疾患と肺小結節の検出がなされる。
【０２９０】検査ＩＤ番号が１０２２８７の検査の検査部位は右足なので、この検査のすべての画像はＣＡＤの適用対象ではない。
【０２９１】検査ＩＤ番号が６０５６３の検査の検査部位は頭部であり、モダリティはＣＴなので、この検査のすべての画像はＣＡＤの適用対象ではない。
【０２９２】なお、ＣＡＤ処理は、読影参照優先順位情報に含まれている参照優先順位の小さい検査から順に行われる。
【０２９３】この時点で、
ＣＡＤ処理装置
４ｅの内部のメモリに記憶されている異常位置と異常度を表わすデータ
【０２９４】
【表２２】
　
【０２９５】この表における異常度は、肺間質性疾患の場合、１から１０までの数字で表わすことができる。なお異常の種類が肺小結節の場合、異常度は小結節の大きさ（cm）を表す。また、異常が存在する領域を示すデータは、この段階では作成されておらず、空欄となる。この表２２に示すデータを、簡単のため以下「異常データ表」と呼ぶことにする。
【０２９６】図１６と図１７は、上記表２２の異常の中心位置に対応する画像を示す。図１６は検査ＩＤ番号が１０３５４１（画像番号１）の画像であり、図１７は検査ＩＤ番号が１００９０２（画像番号１）の画像である。両図において、符号３１ａ，３１ｂは、それぞれ先に図９に記したように左肺野と右肺野、符号２４は鎖骨である。」
　　　　　　　
（Ａ−９）「【０３０９】(3) 異常の経時変化データ表の作成
4-3-1)　ワークステーションＷＳ−１の
制御装置
４ａ
異常データ表に含まれているデータを用いて、「異常の経時変化データ表」を作成する
【０３１０】
【表２５】
・・・
【０３２９】(4) 異常を表示するためのオーバーレイ表示情報の作成
4-4-1)　異常の経時変化を表示するためのオーバーレイ表示情報の作成ワークステーションＷＳ−１の
制御装置
４ａ
異常の位置と異常の経時変化を示すための「オーバーレイ表示情報」を作成し
画像等記憶装置
記憶する
【０３３０】作成されたオーバーレイ表示情報を下記表２６に示す。
【０３３１】
【表２６】　　　
　
【０３３２】異常の経時変化についてのオーバーレイ表示情報は、画像と対応づけられている。この表のオーバーレイ表示情報は、検査ＩＤ番号１０３５４１の検査における画像番号１の画像中の異常の経時変化を表示するためのものである。表中のデ−タ番号は、説明のために付したものである。
【０３３３】なお、異常の位置は矢印で、異常の経時変化は矢印の色を変えることによって表現する。・・・
・・・
【０３３９】4-4-2)　各画像の異常の検出結果を示すオーバーレイ表示情報の作成
ワークステーションＷＳ−１の制御装置（ＷＳ−ＣＴＲＬ）４ａは、異常データ表を参照して、異常の位置と異常度を示すためのオーバーレイ表示情報を作成し、作成されたオーバーレイデータを画像等記憶装置（ＷＳ−ＩＭ）４ｆに記憶する。
【０３４０】　作成されたオーバーレイ表示情報の例を下記表２７と表２８に示す。表２７は検査ＩＤ番号１０３５４１における画像番号１の画像に掛かるものであり、表２８は検査ＩＤ番号１００９０２における画像番号１の画像に掛かるものである。                                    
これらの表中におけるデ−タ番号は、説明のために付したものである。
【０３４１】
【表２７】
　
【０３４２】
【表２８】
　
【０３４３】異常の位置は矢印で表現され、異常の大きさは矢印の長さによって表現する。矢印が長いほど異常は大きいことを示す。また、矢印の色は白色とする。」
（Ａ−１０）「【０３５３】(1) 画像の読影のためのデータ表示
　5-1-1)　データの準備
・・・
【０３６２】(f) 異常の経時変化を表示するためのオーバーレイ表示情報の読み出し
ワークステーションＷＳ−１の制御装置（ＷＳ−ＣＴＲＬ）４ａは、システムメモリにある異常の経時変化データ表を見て、検査ＩＤ番号（表２５において整理番号の次のデータ項目）と画像番号の組合せに対応づけられて記憶されている異常の経時変化を示すためのオーバレイ表示情報を画像等記憶装置（ＷＳ−ＩＭ）４ｆから読み出し、制御装置（ＷＳ−ＣＴＲＬ）４ａのシステムメモリに書き込む。この場合は、検査番号１０３５４１、画像番号１に対応づけられているオーバーレイ表示情報のみが読み出されることになる。」
（Ａ−１１）「【０４１５】ケース１：読影医は異常の変化を見つけられず正常と判断し（所見はない）、ＣＡＤは異常の変化を検出した。
【０４１６】ケース２：読影医は異常の変化を見つけ、ＣＡＤも異常の変化を検出したが、異常の変化に対する判断が異なっていた［(c) のステップの結果より得られる］。
・・・
【０４２０】(g) 上記のケース１またはケース２に属するデータが選択された場合は、制御装置（ＷＳ−ＣＴＲＬ）４ａは、次のことを行う。
・・・
【０４２２】○ケース１に属するデータがあれば、文字表示装置（ＷＳ−ＣＤＩＳＰ）４ｄの作成された読影レポートが表示されている部分の用語表示領域に、「ＣＡＤは所見にない異常の変化を指摘しています」というメッセージを表示する。
【０４２３】ＣＡＤは異なる異常の変化を指摘しています」のように、所見番号と注意喚起のメッセージを表示する。ここでＮは読影レポートの所見番号である。
【０４２４】○異常の経時変化データの表の中でケース１又はケース２に該当する整理番号の異常経時変化データに含まれる「検査ＩＤ番号」の検査の画像のうち、その異常経時変化データに含まれる画像番号の画像（画像Ａとする）を画像表示装置（ＷＳ−ＩＤＩＳＰ）４ｄに表示する。
【０４２５】○画像Ａについての異常の経時変化を示すオーバーレイデータを画像Ａに重ねて表示する。（矢印は白色以外の色である）
　○画像Ａに重ねて表示された矢印のうち、ケース１又はケース２に該当する異常の変化の矢印だけを点滅して表示させる。すなわち、この時だけは、オーバーレイ表示情報の中の点滅制御情報を「点滅あり」に変更したデータを画像表示マネージャ４ｈに送る。
【０４２６】○異常の経時変化データ表の中でケース１又はケース２に該当する整理番号の異常経時変化データに含まれる「過去の検査の検査ＩＤ番号」の検査の画像のうち、その異常経時変化データに含まれる「画像番号」の画像（画像Ｂとする）を画像表示装置（ＷＳ−ＩＤＩＳＰ）４ｄに表示する。画像Ｂは画像Ａと並べて表示される。
【０４２７】○画像Ｂについての異常の検出結果を示すオーバーレイデータを画像Ｂに重ねて表示する。（矢印白色である）
　本実施例において、この時点での文字表示装置（ＷＳ−ＣＤＩＳＰ）４ｄにおける読影レポート作成画面を図２２に示す。符号６１は文字表示装置（ＷＳ−ＣＤＩＳＰ）４ｄのＣＲＴ画面を指す。
【０４２８】また、
画像表示装置
４ｉに画像とオーバーレイが表示されている様子を図２３に示す
図２３においては、
画面６０ａには検査ＩＤ番号１０３５４１・画像番号１の画像が
表示される
【０４２９】
　また、図中の各矢印に付した１○（当審注：１○は１の数字を○で囲っていることを意味する。以下同じ。）〜８○の符号（
１○〜５○はＣＲＴ画面６０ａに
ある
オーバーレイし
画面６０ａの画像は、異常の経時変化情報を示す
（Ａ−１２）「【０４７２】その他、２枚以上の画像をＣＡＤ処理した結果から、ある診断項目についての経時変化情報を作成することができ、その情報を画像に重ねて表示すれば、読影医は経時変化情報も容易に知ることができ、診断の便宜に供することができる。」
　　　
　上記（Ａ−１）〜（Ａ−１２）の記載を参照すると、上記引用刊行物Ａには、
「画像の種類（検査部位、モダリティ、検査方法、検査方向）とその画像において検出できる異常の種類との対応表を書き換え可能な異常検出手段選択情報として記憶するシステムディスク４ｂと、　
　検出する異常の種類を示すデータと画像データから、指定された異常検出手段によって画像データを解析し、異常があれば、その画像上の位置と異常度を求め、異常位置と異常度を表わす異常データ表を記憶するＣＡＤ処理装置４ｅと、
　画像表示装置４ｉと
　ワークステーション全体の動作を制御する制御装置４ａと、
　から構成されるワークステーション４を有し、
　制御装置４ａは、データベース３から送られた画像データと画像付随情報データを画像等記憶装置４ｆに書き込むとともに、ＣＡＤ処理装置４ｅが記憶した異常位置と異常度を表わす異常データ表に含まれているデータを用いて、異常の位置と異常の経時変化を示すためのオーバーレイ表示情報を作成して画像等記憶装置４ｆに記憶し、さらに、異常の経時変化情報を画面６０ａとして画像表示装置４ｉに表示する医療診断支援システム。」
　の発明（以下、「引用発明」という。）が記載されているものと認める。
　　　　
第５　対比・判断
　（５−１）　本願発明と引用発明との対比
　（i）本願明細書の段落【０００８】及び【００５４】にはそれぞれ「本願においては様々な診断支援の種別や内容を総じて診断支援コンテンツと称する。」こと、及び「診断支援コンテンツサーバ選択ウィンドウＡ２６０は、診断支援コンテンツの条件となるモダリティ及び検査部位を選択するためのプルダウンメニューであるモダリティメニューＡ２６１及び検査部位メニューＡ２６２」であることが記載されていることから、引用発明の「画像の種類（検査部位、モダリティ、検査方法、検査方向）とその画像において検出できる異常の種類」が本願発明の「診断支援を行うための複数の診断支援コンテンツ」に相当する。
　また、引用発明の「システムディスク４ｂ」は、画像の種類（検査部位、モダリティ、検査方法、検査方向）とその画像において検出できる異常の種類との対応表を異常検出手段選択情報として記憶していることから、本願発明の「診断支援コンテンツ記憶手段」に相当する。
　（ii）引用発明の「
異常検出手段選択情報」は書き換え可能である
　そうすると、引用発明の「ワークステーション全体の動作を制御する制御装置４ａ」と本願発明の「診断支援コンテンツ変更手段」とは「前記診断支援コンテンツ記憶手段に記憶する診断支援コンテンツを変更する診断支援コンテンツ変更手段」を有する点で共通するものである。
　（iii）上記引用刊行物Ａの摘記事項（Ａ−７）の段落【０２８３】には、「ワークステーションＷＳ−１の制御装置（ＷＳ−ＣＴＲＬ）４ａは、読影対象検査（検査ＩＤ番号は１０３５４１）の２枚の画像のそれぞれについて、異常検出手段選択情報（表１１）を参照して、ＣＡＤ処理が適用可能であるかどうかを判断する。すなわち、検査情報データに含まれている検査部位名、モダリティ名、検査方法の組合せが異常検出手段選択情報の中にあるかどうか調べる。この検査については、表１８、表１９および表１１から明らかなように、検査ＩＤ番号１０３５４１の検査については、画像番号が１の画像だけが正面像であり、ＣＡＤ処理の適用が可能である。そして、検出できる異常の種類は、肺間質性疾患と肺小結節の２種類である。」と記載されていることから、引用発明の「制御装置４ａ」は、検査情報データに含まれている検査部位名、モダリティ名、検査方法の組合せが異常検出手段選択情報の中にあるかどうか調べ、検出できる異常の種類を異常検出手段選択情報から選択しており、本願発明の「前記複数の診断支援コンテンツから所望の診断支援コンテンツを選択する選択手段」に相当する。
　（iv）本願明細書の段落【００３２】には「医用システム♯５から得られる診断用情報」ことが記載されている。
　他方、上記引用刊行物Ａの摘記事項（Ａ−２）、（Ａ−６）、及び（Ａ−７）には、それぞれ「【００２８】画像収集装置（ＩＡ）２Ａ，２Ｂは、Ｘ線診断装置、Ｘ線ＣＴ装置、ＭＲＩ装置、フィルムデジタイザなど、ＰＡＣＳにとっての医用画像収集装置・・・【００２９】データベース（ＤＢ）３は、画像収集装置（ＩＡ）２Ａ，２Ｂで作成されたデジタル画像の記憶装置」であること、「【０２２０】・・・フィルム濃度読み取り装置（ＦＤＧ−ＦＲ）２ｃはセットされた各フィルムの濃度を読み取り、・・・デジタル化する。デジタル化された画像は、画像データ記憶装置（ＦＤＧ−ＩＭ）２ｇに書き込む。・・・【０２２９】・・・制御装置（ＦＤＧ−ＣＴＲＬ）２ａは、入力された検査ＩＤ番号を検査情報・画像付随情報記憶装置（ＦＤＧ−ＥＩＩＭ）２ｆに書き込み、さらに表示装置（ＦＤＧ−ＤＩＳＰ）２ｅに表示する。」こと、及び「【０２４３】(3) データベースへのデータ転送・・・制御装置（ＦＤＧ−ＣＴＲＬ）２ａは、・・・検査情報・画像付随情報記憶装置（ＦＤＧ−ＥＩＩＭ）２ｆに書き込まれているその検査の検査情報（患者の情報と検査ＩＤ番号も含む）と各画像の画像付随情報、および画像データ記憶装置（ＦＤＧ−ＩＭ）２ｇに記憶されている画像データを読み出し、・・・【０２４４】・・・与えられたデータをデータベース３に転送する。【０２４５】・・・データベース３のネットワーク・インターフェース（ＤＢ−ＮＷＩＦ）３ｈにフィルムデジタイザ２からのデータが到着すると、データベース３の制御装置（ＤＢ−ＣＴＲＬ）３ａは、転送されてきたデータを・・・ブロックメモリ（ＤＢ−ＢＬＫＭ）３ｇに書き込む。【０２４６】・・・制御装置（ＤＢ−ＣＴＲＬ）３ａは、ブロックメモリ（ＤＢ−ＢＬＫＭ）３ｇに書き込まれている画像データと画像付随情報を、画像記憶用磁気ディスク装置（ＤＢ−ＩＨＤ）３ｆに書き込む。」ことが記載されていることから、データベース３からワークステーション４に送られるデータ画像データと画像付随情報は、Ｘ線診断装置、Ｘ線ＣＴ装置、ＭＲＩ装置、フィルムデジタイザなどの医用画像収集装置である画像収集装置２Ａ，２Ｂから送られるデータであって、これらのデータ画像データと画像付随情報は、患者を検査して得られた情報であることは明らかであるから、本願発明の「医用システムから患者、検査及び画像の少なくとも１つに関する診断用情報」に相当するものである。そして、引用発明の「制御装置４ａ」は、データベース３から送られた画像データと画像付随情報データを画像等記憶装置４ｆに書き込んでいることから、本願発明の「医用システムから患者、検査及び画像の少なくとも１つに関する診断用情報を取得する情報取得手段」に相当する。
　（v）本願明細書の段落【００２１】には「算出特徴量情報領域Ａ１３には診断支援に用いられる特徴量（本例においてはＩＨｂ値、Ｇ変動係数、血管面積比のＰ３種）」と記載されている。
　他方、引用刊行物Ａの摘記事項（Ａ−４）の段落【０１３１】の【表１１】には、異常検出手段選択情報の検出できる異常の種類として、肺間質性疾患、肺小結節が記載されており、さらに、摘記事項（Ａ−５）には「【０１５２】・・・指定された画像について、指定された種類の異常が存在する位置とその異常度を求めるための画像処理手段と、ＣＡＤ処理によって得られた結果を記憶する記憶手段を含む装置である。制御装置４ａは、ＣＡＤ処理によって得られた結果を読み出すことができる。【０１５３】ＣＡＤ処理装置４ｅは、複数種類の異常検出手段を含む。すなわち本実施例においては、(a) 胸部単純Ｘ線画像の正面像において、肺の間質性疾患の陰影を検出する手段　(b) 胸部単純Ｘ線画像の正面像において、肺の小結節の陰影を検出する手段・・・である。」ことが記載されていることから、引用発明では「異常検出手段選択情報」の検出できる異常の種類に応じた「異常位置と異常度」を求めており、この異常の種類に応じた「異常位置と異常度」が医療の診断支援となる特徴量であることは明らかであるから、引用発明の「ＣＡＤ処理装置４ｅ」が本願発明の「特徴量算出手段」に相当し、本願発明と同様に、「前記選択手段により選択された診断支援コンテンツに応じて、前記診断用情報から特徴量を算出する」ものである。
　（vi）引用発明の「制御装置４ａ」は、データベース３から送られた画像データと画像付随情報データを画像等記憶装置４ｆに書き込むとともに、ＣＡＤ処理装置４ｅが記憶した異常位置と異常度を表わす異常データ表に含まれているデータを用いて、異常の位置と異常の経時変化を示すためのオーバーレイ表示情報を作成して画像等記憶装置４ｆに記憶しており、さらに、上記引用刊行物Ａの摘記事項（Ａ−１２）には「【０４７２】その他、２枚以上の画像をＣＡＤ処理した結果から、ある診断項目についての経時変化情報を作成することができ、その情報を画像に重ねて表示すれば、読影医は経時変化情報も容易に知ることができ、診断の便宜に供することができる。」ことが記載されていることから、引用発明において、「制御装置４ａ」がオーバーレイ表示情報を作成して画像等記憶装置４ｆに記憶することは、診断支援情報を生成することを意味することは明らかである。よって、引用発明の「制御装置４ａ」が、本願発明の「前記特徴量算出手段により算出された特徴量に基づいて診断支援情報を生成する診断支援情報生成手段」に相当する。
　（vii）引用発明の「画像表示装置４ｉ」は、異常の経時変化情報を画面６０ａとして表示していることから、本願発明の「診断支援情報生成手段により生成された診断支援情報を表示する診断支援情報表示手段」に相当する。
　（viii）引用発明の「医療診断支援システム」が本願発明の「診断支援装置」に相当する。
　　　　　　　　
　そうすると、本願発明と引用発明とは、
　「診断支援を行うための複数の診断支援コンテンツを記憶する診断支援コンテンツ記憶手段と、
　前記診断支援コンテンツ記憶手段に記憶する診断支援コンテンツを変更する診断支援コンテンツ変更手段と、
　医用システムから患者、検査及び画像の少なくとも１つに関する診断用情報を取得する情報取得手段と、
　前記選択手段により選択された診断支援コンテンツに応じて、前記診断用情報から特徴量を算出する特徴量算出手段を備え、
　前記特徴量算出手段により算出された特徴量に基づいて診断支援情報を生成する診断支援情報生成手段と、
　前記診断支援情報生成手段により生成された診断支援情報を表示する診断支援情報表示手段と
　を備えた診断支援装置。」
　である点で一致し、次の相違点（あ）で相違している。
　　　　　　　
・相違点（あ）
　診断支援コンテンツを変更する診断支援コンテンツ変更手段が、本願発明では、「少なくとも更新または追加する診断支援コンテンツ変更手段」であるのに対して、引用発明では、異常検出手段選択情報を書き換え可能なワークステーション全体の動作を制御する制御装置４ａである点。
　　　　　　　　
　（５−２）当審の判断
　そこで、上記相違点（あ）について判断する。
　上記引用刊行物Ａの摘記事項（Ａ−４）には「【０１４９】なお、上述の書き換え可能な各データを変更したい場合は、そのデ−タに掛かる表を文字表示装置（ＷＳ−ＣＤＩＳＰ）４ｄに表示させ、入力装置（ＷＳ−ＩＮＰＵＴ）４ｃから新しいデータを入力し、更新されたデータを更新前のデータにオーバーライト（重ね書き）することにより書き換えることができる。」と記載されていることから、引用発明の制御装置４ａが、異常検出手段選択情報を書き換え可能にすることは、対応表の画像の種類（検査部位、モダリティ、検査方法、検査方向）とその画像において検出できる異常の種類とのデータを入力装置４ｃから新しいデータとして入力することを意味するものであり、さらに、新しいデータを入力する際に、すでに入力されているデータを削除し、新しいデータを入力する場合と、すでに入力されているデータを削除しないで新しいデータを追加する場合があることは、一般に周知の技術事項であることから、引用発明においても、制御装置４ａが異常検出手段選択情報を書き換え可能にする際に、すでに入力されている画像の種類とその画像において検出できる異常の種類とのデータを削除して、新しいデータを入力したり、あるいはすでに入力されているデータは削除しないで新しいデータを追加すること、すなわち、本願発明の相違点（あ）のごとく、診断支援コンテンツを変更する診断支援コンテンツ変更手段を、「少なくとも更新または追加する診断支援コンテンツ変更手段」とすることは当業者が容易になし得るものである。
　　　　
　そして、本願発明によってもたらされる効果は、引用発明及び周知の技術事項から予測される範囲内のものであって、格別のものではない。 
　したがって、本願発明は、引用発明及び周知の技術事項に基づいて当業者が容易に発明をすることができたものである。
　　　　　　　　　　
　なお、請求人は当審で通知した審尋についての回答書において、（ａ）「本願発明を内視鏡医療に限定したい」旨の主張、及び（ｂ）「診断支援コンテンツが診断支援サーバーにアップロードされたときに、それを逐次更新、追加する手段（送信、受信、検知手段）を備えている」旨の主張をしているが、（ａ）内視鏡医療も引用発明のモダリティの１つであり、モダリティとして何を採用するかについては当業者が必要に応じて適宜なし得る選択的事項にすぎないものであり、さらに（ｂ）本願発明には「それを逐次更新、追加する手段（送信、受信、検知手段）を備えている」構成は記載されていないから、上記請求人の主張は採用できないものである。
　　　　　　
第６　むすび 
　以上のとおり、本願発明は特許法第２９条第２項の規定により特許を受けることができないものであるから、本件出願は、その余の請求項について言及するまでもなく、拒絶をすべきものである。
  よって、結論のとおり審決する。